(57)【要約】      （修正有）【課題】口腔免疫力を強化する歯牙運動を通じて口腔疾患を予防し、治療して口腔健康を増進させる方法を提供する。【解決手段】歯牙のエナメル質を損傷させなく歯牙に刺激を与える事が出来る適切な圧縮強度と弾性力を持つ物質を上歯と下歯の間に噛んで力を入れ、歯牙と歯肉組織に刺激を発生させて口腔内の唾の分泌と血液循環を促進し、また、歯牙組織と歯肉組織を固く作って口腔の免疫力を強化して各種口腔疾患を予防し治療する歯牙運動。【選択図】なし【特許請求の範囲】
【請求項１】
弾性と反発力を持った物質を上歯と下歯の間に噛んで、力を入れる方式で歯牙と歯肉に刺激を与えて唾の分泌と血液循環を促進し、歯牙組織と歯肉組織を強化する歯牙運動
【請求項２】
１項において木材を用いた歯牙運動
【請求項３】
２項において圧縮強度を異にする木材
【請求項４】
２項において竹塩液、緑茶液などが染み込んだ木材
【請求項５】
２項において木材（固い）を小規模（４０−５０個）で携帯できる容器（ケース）
【発明の詳細な説明】
【発明の詳細な説明】
【発明が属する技術分野及びその分野の従来技術】
【０００１】本発明は口腔免疫力を強化する歯牙運動を通じて口腔疾患を予防し、治療して口腔健康を増進させる方法です。
風邪を引くことは風邪ウイルスがあるから引くことではありません。
ウイルスがあっても免疫力が強い状態では風邪を引かれません。
また、風邪を引いても免疫力が強かったら風邪から抜け易くなります。
従って、周辺環境に細菌とウイルスがあっても免疫力を強化したら各種疾患を予防し治療できます。
１．細菌取り除き中心の口腔管理
【０００２】現在までの口腔管理は細菌取り除きに重点を置いております。
歯磨きは口腔に存在する細菌と食物残渣を取り除きます。
デンタルフロスは歯磨きで取り除きにくい歯牙間の食べ物とプラークを取り除きます。
口腔清潔剤は殺菌成分を用いて口腔細菌を取り除きます。
さらに、スケーリングは歯肉に付いている歯石を取り除きます。
このように現在の口腔管理が細菌除去のみ集中しているが、口の中には２００余種の総２億以上の細菌が生きているため、物理的にこの全ての細菌を除去することは事実上ほとんど不可能です。
２．口腔免疫力
【０００３】このように数多くの細菌が口中に存在するにもかかわらず口腔疾患に易く掛からないのは口腔内に存在する免疫体系−唾と免疫細胞が存在するからです。
ア．唾（唾液）の優秀性
【０００４】東医宝鑑にも言及されたが、唾の効能は非常に優れます。
日本学者西岡ハジメの研究結果によると、唾にはリパーゼとアミラーゼのような消化酵素だけでなく殺菌と抗菌作用を行うリゾチームとラクトフェリンがあり、活性酸素を抑制するペルオキシダーーゼもあります。
さらには、骨と歯牙を固くし、皮膚代謝を活発にするパロチンという老化防止ホルモンまで唾の中に存在します。
イ．免疫細胞
【０００５】口腔免疫力には唾とともに免疫細胞も存在します。
Ｂ細胞、Ｔ細胞、顆粒球と呼ばれる各種免疫細胞は我が体に侵入した細菌とウイルスを食われたり無力化させます。
このような免疫細胞は歯肉組織と歯牙組織にも分布して唾とともに口腔免疫力を形成して口腔健康を守っています。
３．食べ物文化とストレス
【０００６】口腔健康のためには口腔免疫力を強化する必要があるが、現在の食べ物文化とストレスはむしろ口腔免疫力を弱化させています。
ア．柔らかい食べ物
【０００７】エネルギーの効率かを追求する我が体は用不用説によって、よく使う器官は強化させ、よく使わない器官は弱化させます。
そのため、乗用車を多く利用するほど足筋肉と骨は次第に弱くなります。
便利さを追求する食べ物文化へ荒くて硬い食べ物よりは柔らかい食べ物が普遍化されたが、このような食べ物はそしゃくに必要なエネルギーが小さいため、時間が過ぎたほど唾の分泌は減らし、歯牙と歯肉組織も弱化されます。
イ．甘い食べ物
【０００８】我が体、特に脳は葡萄糖を主な栄養分として使用するため、甘い食べ物を嫌がる人は誰もいません。
しかし、甘い食べ物は口腔細菌も非常に好む栄養分です。
したがって、甘い食べ物を多く食べるほど口腔細菌の活動も強化されます。
ウ．ストレス
【０００９】競争中心の生活環境で人々のストレスが次第に増加しているが、ストレスは交感神経を刺激して唾線分泌を抑制します。
そのため、緊張するとき、口の中がかわくことを誰でも感じることが出来ます。
また、ストレスで発生する交感神経は毛細血管を収縮させるため、歯牙組織と歯肉組織に分布する各種免疫細胞の活動を弱化させます。
【発明が解決しようとする技術的課題】
【００１０】用不用説によって我が身体は刺激を継続して受けることになると該当部位の筋肉と骨、靱帯が強化され、血液循環が促進されます。
歯牙と歯肉も継続して刺激を受けることになると、唾分泌と血液循環が促進され、歯牙と歯肉組織は丈夫になります。
このように歯牙と歯肉に刺激を与えて口腔免疫力を強化するために、荒くて硬い食べ物を勧奨し食事の時にゆっくり長く噛みを勧奨します。
しかし、既に柔らかくて甘い食べ物文化になれた状態でわざと、あらくて硬い食べ物を探して食べることは決して易くないです。
さらに、忙しい社会生活でゆっくり長く噛むことは相当な我慢強さが必要です。
したがって、競争中心の社会で柔らかくて甘い食べ物文化になれた普通の一般人々があらい食べ物や長く噛みを実践するに非常に難しいです。
もし、便利で簡便に歯牙と歯肉を刺激できる方法があれば敢えてあらい食べ物と長く噛みを実践しなくても口腔免疫力を強化できるため、普通の一般人々も手軽く口腔免疫力を強化させることが出来ます。
次の歯牙運動は簡便で便利に歯牙と歯肉を刺激することが出来るため、誰でも手軽く歯牙運動を実践して口腔免疫力を強化出来ます。
【発明の構成】
【００１１】弾性と反発力を持った物質を歯牙の間に噛んで力を与える方式で歯牙と歯肉に刺激を入れたら唾の分泌と血液循環が促進され、用不用説によって歯牙組織と歯肉組織が次第に強化されます。
１．歯牙の握力５０−６０ｋｇ／ｃｍ２
人の歯牙の力は５０−９０ｋｇ／ｃｍ２で奥歯一つが成人体重を支えるほどに非常に大きいです。
したがって、歯牙と歯肉が与えられる刺激の大きさは５０−９０ｋｇ／ｃｍ２です。
歯牙と歯肉に５０−９０ｋｇ／ｃｍ２ほどの大きい刺激が伝わると生理作用で多量の唾が分泌され歯牙と歯肉組織の血液循環と神経活動も促進されます。
さらに、このような刺激が継続して持続されたら用不用説によって、歯牙と歯肉組織は次第に固くなり丈夫になります。
２．木材の活用
【００１２】歯牙運動に使われる物質は適当な圧縮強度と弾性を持ったらエナメル質に損傷を与えないで歯牙と歯肉に刺激を与えることが出来ます。
さらに、奥歯の表面は完全平面ではない凸凹のようにデコボコするため、弾性がない物質を噛んで力を入れると力の集中でエナメル質が損傷されます。
木材は歯牙と歯肉を
【００１３】安全に刺激できる圧縮強度と弾性を持っています。
すなわち、噛む力によって木材が次第に潰れるため歯牙のエナメル質を損傷させません。
さらに、木材の成分であるセルロース。リグニンは人体に無害な成分であるため、唾によって分解されても人体には何の影響を与えません。
３．歯牙運動の方式
【００１４】具体的な歯牙運動の方式を説明すると、横、縦、高さの規格が２−４ｃｍ  ｘ  １−２ｃｍ  ｘ  １−２ｃｍである木材を上歯と下歯の間に噛んでゆっくり力を入れます。
噛んでいる木材が握力によって潰れると他のものを使用します。
１０−１５個の木材を使用すると奥歯、犬歯、前歯の全てに刺激を与えることが出来ます。
この際、注意すべきことは木材をそしゃくことではなく噛んでいる状態で力を入れることです。
そしゃく動作は噛む動作に比べてエナメル質との摩擦を増加させるため、エナメル質が弱い人の場合にそしゃく動作でエナメル質が損傷する恐れがあります。
さらに、そしゃく動作は噛んで力を入れる方式と比べて歯牙と歯肉に与える刺激の大きさが非常に小さいです。
４．具体的な実施例
【００１５】歯牙運動は口腔疾患の予防、そして治療全てに活用されることが出来ます。
ア．予防目的の歯牙運動
Ａ．食事前の歯牙運動
【００１６】食事前に歯牙運動を行うと分泌された唾が歯牙と歯肉を包み、ひいては食道と胃まで包むようになって食事中の食べ物から消化器官を保護することが出来ます。
さらに、食事前の歯牙運動は歯牙と歯肉に既に刺激を与えるため、食事中に発生する歯周炎を予防することが出来ます。
これはまさに運動競技前にするストレッチングが筋肉と骨に既に刺激を与えて、競技中の怪我を予防することと同じです。
食事前の歯牙運動は健康上の効果だけでなく、使用上の便利さもあります。
人々が運動が健康に良いとのことを知りながらもうまずたゆまずに実践できないことは面倒からです。
食堂で食べ物を注文すると５−１０分後に食べ物が出るが、この時間の間に人々は何もしないで退屈に座っています。
このように食事注文の後に待つ時間を活用すれば別途の時間なくても歯牙運動を実践することが出来るため面倒を感じないで継続して歯牙運動を実践することが出来ます。
Ｂ．就寝前の歯牙運動
【００１７】睡眠中には唾の分泌が減らすので口腔細菌の活動が強化されます。
就寝前に歯牙運動を行うと分泌された唾が歯牙と歯肉を包んで保護し唾に入っている抗菌物質と殺菌成分が口腔細菌の活動を抑制するので、睡眠中に起きる口腔細菌の活動を大きく抑制できます。
食事前、就寝前、即ち一日に４回の歯牙運動が歯磨きのように習慣化されると唾の分泌と血液循環が促進され歯牙（歯肉）組織が丈夫になるすなわち、口腔免疫力が強化されて各種口腔疾患を予防できます。
イ．治療目的の歯牙運動
Ａ．歯肉病
【００１８】多くの成人が歯肉が腫れて血が出て歯にしみる歯肉病を病んでいるが唾にはリゾチームとラクトフェリンなど、口腔細菌を殺菌し抑制する成分があり、歯肉と歯牙組織にはＢ細胞、Ｔ細胞、顆粒球など各種免疫細胞が存在します。
歯牙運動で唾分泌と血液循環が促進されると唾と免疫細胞が活性化されて歯肉病の原因である口腔細菌を抑制し殺菌します。
したがって、歯肉病がある場合、食事前、就寝前の一日４回以外にも暇があるなら追加で歯牙運動を実践したら口腔免疫力が大きく強化されるので歯肉病からもっとはやく切抜けることができます。
さらに、歯牙運動は我が身体内に存在する免疫力を活用することであるため、薬物と異なり、いくら多く実践しても不作用が全く発生しません。
Ｂ．歯周炎
【００１９】歯牙がいくら丈夫になっても歯肉組織が大きく弱化されると歯牙は揺れることになります。
現在歯周炎に対する治療法は抜歯後に入れ歯がほとんどです。
歯牙を支えているものには歯肉以外にも歯周靱帯があり、歯牙運動は歯肉と歯周靱帯を強化するので歯周炎治療に助けになります。
すなわち、継続した歯牙運動は歯牙を支える歯肉と歯周靱帯を次第に強化させるので、歯周炎でしょうがなく自然歯牙を抜く必要がある状況が多く減らすことです。
特に、歯周炎はほとんど食事中に発生するので食事前に歯牙運動を継続して実践すれば食事中に歯周炎を予防できます。
Ｃ．歯痛
【００２０】我慢辛い身体的苦痛がある時、歯を食いしばると苦痛を冷やすことが出来ます。
歯肉病と歯周炎などで歯痛が発生するとき、強い歯牙運動で刺激を与えると三次神経が刺激され頭脳のエンドルフィンが発生されて歯痛が迅速に治まります。
Ｄ．口腔乾燥症と口臭
【００２１】歯牙と歯肉に発生する５０−９０ｋｇ／ｃｍ２の刺激は唾線を強く刺激して多量の唾を分泌させます。
したがって、歯牙運動を継続すると口腔乾燥症から易く切抜けることが出来ます。
口臭は食物残渣と口腔細菌から始まるが歯牙運動で多量分泌された唾の潤滑作用で歯牙間の食物残渣は取り除き、口腔細菌の活動は抑制されます。
Ｅ．虫歯
【００２２】虫歯の原因である口腔細菌を殺菌、抗菌し口中を弱アルカリで作る唾が口中にいっぱいになると虫歯菌の活動は当然に抑制されます。
さらに、エナメル質は死んでいる組織ではなく生きている組織であるため、継続して刺激を受けると次第に丈夫になるので虫歯菌が噴出す酸性物質にも強い抵抗力を持つことになります。
したがって、継続した歯牙運動は虫歯の予防と治療にも効果を発揮します。
ウ．その他の活用
【００２３】歯牙運動は次のような目的でも活用できます。
Ａ．頭脳健康増進
【００２４】歯牙と頭脳は直接的に連結されているため歯牙運動は頭脳の血液循環を促進し頭脳神経を刺激します。
したがって、痴呆予防をはじめ頭脳健康の増進にも助けになります。
Ｂ．乳歯の刺激
【００２５】柔らかい食べ物文化で児童の乳歯は適切な刺激を受けない、これによって永久歯がまともに出ないため、不正交合が生じています。
継続した歯牙運動で児童の乳歯に適切に刺激を与えると永久歯がまともに出ない不正交合を予防できます。
Ｃ．酒、タバコの後のすっきりしない
【００２６】タバコを吸ったり酒を飲んだりすると唾が足りなくて口中が乾くなりすっきりしないです。
この際、歯牙運動を行うと唾の分泌で口中の爽やかを感じることが出来ます。
Ｄ．食事後の歯磨き代用
【００２７】人々は口腔健康のために、食事後に歯磨きを積極実践したがるが職場や食堂では携帯上・使用上の問題で食事後に歯磨きを実践するに難しいです。
歯牙運動で分泌された多量の唾は口中の食物残渣を除去するので、食事後に歯磨きが困難な場合には歯牙運動で歯磨きを代わることが出来ます。
５．歯牙運動の活性化のための方法
【００２８】次のような発明が追加されればもっと多くの人々がそして、もっと便利に歯牙運動を実践できます。
ア．圧縮強度が異なる木材
【００２９】人の噛む力すなわち握力は５０−９０ｋｇ／ｃｍ２で児童成人老人男子女子によって多様です。
使用者の代わりに使用者自分の握力に合う圧縮強度を持った木材が用いられると使用者は各自の握力に合わせて歯牙運動の効果を極大化させることが出来、重量上げのバーベルのように歯牙運動の強度を段階的に上げていくことが出来ます。
イ．竹塩、緑茶などが浸透された木材
【００３０】竹塩と緑茶のように口腔健康に良い物質または香りが漂った木材が活用されれば人々がもっと気持ちよく歯牙運動を実践できます。
ウ．便利性のための携帯容器（ケース）
【００３１】１回歯牙運動に使われる木材の数は１０−１５個です。
４回−５回分量の木材４０−５０個を盛ることが出来る携帯容器を使用すれば携帯性が増進されて職場や食堂でも易く歯牙運動を実践できます。
このような携帯容器は資源の再活用にも助けになります。
歯牙運動が大衆化されるほど歯牙運動に使われる木材の量も大きく増加します。
製品規格が２ｃｍ×１ｃｍ×１ｃｍである木材を基準とするとき、１千万名が一日に４回（４０個）歯牙運動を実践すると仮定すれば一年に歯牙運動に使われる木材の数量は２９２、０００ｍ３です。
これによって歯牙運動後のごみ問題と再活用問題が発生することになります。
携帯容器が活用されれば歯牙運動に使われた木材を再度携帯容器に盛ることが出来るので、歯牙運動後にごみ問題が解決され木材のリサイクルもできるようになって木材の再活用率を高めることが出来ます。
【発明の効果】
【００３２】３５億年進化の主人公ＤＮＡ
薬物と手術で代表される現代医学の歴史はせいぜい２００年に過ぎないです。
これに反して免疫力を作り出すＤＮＡの歴史はなんと３５億年です。
ＤＮＡの歴史を一年３６５日３１、５３６、０００秒でみると現代医学はせいぜい２秒に過ぎないです。
現代医学は今も風邪ウイルスも解決できないが日本学者ドネガワ  ススムの［遺伝子再編成］理論によるとＢ細胞は１〜２個ではなく千万個の抗体を作り出しています。
さらに、現代医学は今もガンの征服に至らないが我が体に存在するＮＫ細胞は癌細胞を非常に手軽く取り除きます。
我が体に存在する免疫力は進化の主人公であるＤＮＡが３５億年の間、細菌とウイルスとの果てしない戦いから積み上げた強力な防御体系です。
このように我が体には強力で完璧な防御体系が存在するにも多くの人々が相変わらず免疫力の存在と価値を分かっていません。
免疫力の存在と価値を分からないと、むしろ免疫力の活動を妨害します。
風邪のとき、高熱が発生することはウイルスが高熱に弱いことを活用して自律神経がわざと体温を上げたことであるが、このような事実を分からないと高熱が恐ろしくて解熱剤を飲むことになって免疫力をむしろ妨害します。
下痢が有毒物質を排泄するための自律神経の作用であることを分からないと止しゃ剤を飲んで有毒物質を排泄しようとする免疫活動を妨害します。
免疫力の大衆化
【００３３】予防と治療効果が優れた歯牙運動が大衆化されれば多くの人々が免疫力の偉大さと幽妙を実感できるようになって口腔疾患だけでなくほかの疾患にも免疫力を積極活用しようとします。
体の中の免疫力が積極活用されるほど健康の質は最も高くなります。